(57)【要約】  表示入力装置(1)は、表示パネル(11)と、表示パネル(11)に対して設けられたタッチパネル部(12)と、使用者の操作内容を認識し、表示パネル(11)のうちの予め定められた開始領域(F1)をタッチし、予め定められた終了領域(F2)に向けてタッチを続けたままタッチ位置をスライド移動させる引出操作を認識し、タッチ位置の終了領域(F2)への到達を電源のＯＦＦを指示する電源ＯＦＦ指示と認識し、電源ＯＦＦ指示を認識すると電源ＯＦＦのための処理を行わせる制御部(4)と、を含む。
2016125401.tif 000002
【特許請求の範囲】
【請求項１】
設定用の画面、キーを表示する表示パネルと、
前記表示パネルに対して設けられたタッチパネル部と、
前記タッチパネル部の出力に基づき使用者の操作内容を認識し、前記表示パネルの表示領域のうち予め定められた開始領域をタッチし、前記開始領域とは離れた領域であって予め定められた領域である終了領域に向けてタッチを続けたままタッチ位置をスライド移動させる引出操作を認識し、前記引出操作の継続によるタッチ位置の前記終了領域への到達を電源のＯＦＦを指示する電源ＯＦＦ指示と認識し、前記電源ＯＦＦ指示を認識したとき電源ＯＦＦのための処理を行わせる制御部と、を含むことを特徴とする表示入力装置。
【請求項２】
前記表示パネルの表示領域の端辺のうちのいずれかの１辺に接するように前記開始領域を設け、
前記表示パネルの表示領域の端辺のうち、前記１辺に対向する辺に接するように前記終了領域を設け、
前記制御部は、前記開始領域へのタッチの後、前記引出操作がなされると、表示中の画面上に重ねられる引出画面を前記表示パネルに表示させ、前記引出画面が前記開始領域側の端辺から前記終了領域方向に向けてスライドして引き出されるように表示させることによって、前記開始領域へのタッチ開始から前記終了領域方向へのタッチ位置の移動量が多くなるのに従い前記引出画面の表示面積を前記表示パネルに次第に増加させることを特徴とする請求項１に記載の表示入力装置。
【請求項３】
処理未完了のジョブがある状態で前記引出操作がなされたとき、
前記制御部は、処理未完了のジョブの情報を前記引出画面内に表示させることを特徴とする請求項２に記載の表示入力装置。
【請求項４】
前記制御部は、
処理未完了のジョブがない状態で前記引出操作がなされた場合、タッチ位置と前記引出画面の前記終了領域側の辺の位置との差を予め定められた許容範囲内としつつ、前記終了領域方向へのタッチ位置の移動量が多くなるのに従って前記引出画面の表示面積を表示パネルに次第に増加させ、
処理未完了のジョブがある状態で前記引出操作がなされた場合、前記引出画面の終了領域側の辺が予め定められた制限ラインに到るまでは、タッチ位置と前記引出画面の前記終了領域側の辺の位置との差を予め定められた許容範囲内としつつ、前記引出操作での前記終了領域方向へのタッチ位置の移動量が多くなるのに従って前記引出画面の表示面積を表示パネルに次第に増加させ、前記制限ラインに到った後、さらに前記終了領域方向にタッチ位置が移動されても前記制限ラインまでの前記引出画面の表示を前記表示パネルに続けさせ、タッチ位置が前記終了領域に到達しても前記電源ＯＦＦ指示がなされたとは認識しないことを特徴とする請求項２に記載の表示入力装置。
【請求項５】
処理未完了のジョブがある状態で前記引出操作がなされたとき、
前記制御部は、処理未完了のジョブのうち、まだ開始されていないジョブ実行中止を指示するジョブ中止キーと、処理未完了の全ジョブが完了すると電源ＯＦＦのための処理が開始されるように電源ＯＦＦの予約を指示するための終了予約キーと、処理未完了のジョブの詳細リストの表示を指示するためのリスト表示キーのうち、少なくとも１つを選択肢キーとして前記表示パネルに表示させ、選ばれた選択肢キーに応じた処理を行うことを特徴とする請求項２に記載の表示入力装置。
【請求項６】
前記表示パネルは、前記選択肢キーを前記引出画面外に表示し、
前記制御部は、前記引出操作でのタッチ位置を何れかの選択肢キーまで移動させる操作を、選択肢キーを選ぶ操作と認識することを特徴とする請求項５に記載の表示入力装置。
【請求項７】
前記リスト表示キーが操作されたとき、前記制御部は処理未完了のジョブを一覧形式で表示し、中止キーが設けられた詳細リスト画面を前記表示パネルに表示させ、
前記詳細リスト画面内の何れかの欄がタッチされたとき、前記制御部はタッチされた欄に対応するジョブを選択されたジョブと認識し、ジョブが選択された状態で前記中止キーが操作されたとき、選択されたジョブを実行せず、選択されたジョブに対応するデータを消去させることを特徴とする請求項５に記載の表示入力装置。
【請求項８】
前記制御部は、前記引出操作後、前記引出画面が前記開始領域側の端辺にスライドして収納されていくように表示させることによって、前記開始領域方向へのタッチ位置の戻し量が多くなるのに従い、前記引出画面の表示面積を前記表示パネルに次第に減少させ、また、タッチ位置が前記開始領域まで戻されたとき、又は、前記終了位置に到る前にタッチが離されたとき、前記引出画面の表示を前記表示パネルに止めさせることを特徴とする請求項２に記載の表示入力装置。
【請求項９】
請求項１に記載の表示入力装置と、
データを記憶する記憶部と、
前記表示入力装置及び前記記憶部に電力を供給する電源装置と、を含み、
前記制御部は、前記電源ＯＦＦ指示を認識したとき、記憶されたデータを保護するための処理であるシャットダウン処理を前記記憶部に行わせ、
前記電源装置は、前記シャットダウン処理が完了した後、電源ＯＦＦ時に電力供給を停止する部分への電力供給を停止することを特徴とする画像形成装置。
【請求項１０】
設定用の画面、キーを表示パネルに表示させ、
前記表示パネルに対して設けられたタッチパネル部の出力に基づき使用者の操作内容を認識し、
前記表示パネルの表示領域のうち予め定められた開始領域をタッチし、前記開始領域とは離れた領域であって予め定められた領域である終了領域に向けてタッチを続けたままタッチ位置をスライド移動させる引出操作を認識し、
前記引出操作の継続によるタッチ位置の前記終了領域への到達を電源のＯＦＦを指示する電源ＯＦＦ指示と認識し、
前記電源ＯＦＦ指示を認識したとき電源ＯＦＦのための処理を行うことを特徴とする表示入力装置の制御方法。
【発明の詳細な説明】
【技術分野】
【０００１】
本発明は、画像形成装置に取り付けられる表示入力装置での電源ＯＦＦ指示の受け付けに関する。
【背景技術】
【０００２】
一般に、複合機、複写機、プリンター、ファクシミリ装置のような画像形成装置には、主電源のＯＮ／ＯＦＦを行うための電源スイッチが設けられる。電源スイッチは、画像形成装置に取り付けられた操作パネルに設けられることがある。画像形成装置の電源のＯＮ／ＯＦＦを行うとき、使用者は、操作パネルの電源スイッチを操作する。電源スイッチを含む操作パネル、画像形成装置の一例が特許文献１に記載されている。【０００３】
具体的に、特許文献１には、電源スイッチとして、装置側面や表示操作部に設けられるメカ的なハードキーやソフトスイッチを有するデジタル複合機１０２（画像処理装置）が記載されている（特許文献１：段落［００９２］参照）。そして、特許文献１記載の画像処理装置は、装置の動作状態及び操作部から入力された情報を表示し、ユーザーが操作部から電源の遮断を指示したとき、実行中のジョブ及び待機中のジョブの情報を表示すると共に電源の遮断を実行するか否かの入力をユーザーに促すシャットダウン確認画面を表示させ、シャットダウン確認画面でユーザーが電源の遮断を実行する旨の入力を行なったとき、電源の遮断の実行を通知するシャットダウン実行画面を表示部に表示させる。これにより、現在実行中のジョブ及び待機中のジョブの情報を表示し、その状態でユーザーが電源の遮断を実行する旨の入力を行なったとき、電源の遮断が実行される（特許文献１：請求項１、段落［００１５］参照）。
【先行技術文献】
【特許文献】
【０００４】
【特許文献１】特開２００６−０２１５０１号公報
【発明の概要】
【発明が解決しようとする課題】
【０００５】
電源関係のスイッチ（電源スイッチ）としてハードキーが画像形成装置の操作パネルに設けられることがある。あるいは、電源スイッチは、タッチパネル付表示パネルにソフトキーとして表示されることもある。そして、使用者は、電源スイッチとしてのハードキーや、ソフトキーを操作して画像形成装置（操作パネル）の電源のＯＦＦを行う。【０００６】
しかし、電源ＯＦＦのための電源スイッチとしてハードキーを設けるとき、設置や配線のスペースを確保しつつ、ハードキーを設ける必要があるという問題がある。また、電源スイッチ自体のコストもかかるという問題がある。また、画像形成装置の側面や背面のようにわかり辛く目立たないところにハードキーが設けられることもある。使用者は、ハードキーがどこにあるか探さなくてはならず、また、見つけにくく、不便である。【０００７】
操作パネルの表示パネルで表示される画面には非常に多くの種類がある。電源スイッチをソフトキーとして設けるとき、いつでも電源ＯＦＦできるようにするには、全画面にソフトキーを表示しなくてはならない。つまり、表示領域の一部を常時電源スイッチが占める。従って、表示パネルの表示領域のうち、電源スイッチのソフトキーの分だけ実質的に表示面積が少なくなるという問題もある。【０００８】
尚、特許文献１記載の技術では、ハードキー若しくはソフトキーによる電源用のスイッチが設けられ、上記の問題点を含む。【０００９】
本発明は、上記従来技術の問題点に鑑みてなされたものであり、電源スイッチとしてのソフトキーを常時表示し続けなくても、タッチパネルに対する操作だけで簡易に電源を落とせるようにする。
【課題を解決するための手段】
【００１０】
上記課題解決のため、請求項１に係る表示入力装置は、表示パネル、タッチパネル部、制御部を含む。前記表示パネルは、設定用の画面、キーを表示する。前記タッチパネル部は、前記表示パネルに対して設けられる。前記制御部は、前記タッチパネル部の出力に基づき使用者の操作内容を認識する。そして、前記制御部は、前記表示パネルの表示領域のうち、予め定められた開始領域をタッチし、前記開始領域とは離れた領域であって予め定められた終了領域に向けてタッチを続けたままタッチ位置をスライド移動させる引出操作を認識する。また、前記制御部は、前記引出操作の継続によるタッチ位置の前記終了領域への到達を電源のＯＦＦを指示する電源ＯＦＦ指示と認識する。また、前記制御部は、前記電源ＯＦＦ指示を認識すると電源ＯＦＦのための処理を行わせる。
【発明の効果】
【００１１】
本発明によれば、電源スイッチとしてのソフトキーを常時表示し続けなくても、タッチパネルに対する操作だけで簡易に電源を落とすことができる。また、電源ＯＦＦ用のハードキーを設けなくてもよくなる。
【図面の簡単な説明】
【００１２】
【図１】実施形態に係る複合機の一例を示す図である。
【図２】実施形態に係る複合機の一例を示す図である。
【図３】実施形態に係る表示パネルに表示されるメインメニュー画面の一例を示す図である。
【図４】実施形態に係る表示パネルに表示されるジョブの実行状況画面の一例を示す図である。
【図５】実施形態に係る開始領域と終了領域の組合せパターンの一例を示す。
【図６】実施形態に係る操作パネルで、処理未完了のジョブが無いときの表示の流れの一例を示す図である。
【図７】実施形態に係る操作パネルで、処理未完了のジョブが無いときの表示の流れの一例を示す図である。
【図８】実施形態に係る操作パネルで、処理未完了のジョブが無いときの表示の流れの一例を示す図である。
【図９】実施形態に係る複合機でのシャットダウン処理の流れの一例を示すフローチャートである。
【図１０】実施形態に係る操作パネルで、処理未完了のジョブがあるときの表示の流れの一例を示す図である。
【図１１】実施形態に係る表示パネルに表示されるジョブの詳細リスト画面の一例を示す図である。
【図１２】実施形態に係る引出画面の巻き戻しの一例を示す図である。
【発明を実施するための形態】
【００１３】
以下、図１〜図１２を用いて本発明の実施形態を説明する。以下の説明では、操作パネル１（表示入力装置に相当）を備えた複合機１００（画像形成装置に相当）を例に挙げて説明する。但し、本実施の形態に記載されている構成、配置等の各要素は、発明の範囲を限定するものではなく単なる説明例にすぎない。
【００１４】
（複合機１００の概略）
図１、図２に基づき、実施形態に係る複合機１００の概略を説明する。図１、図２は、実施形態に係る複合機１００の一例を示す図である。
【００１５】
図１に示すように、本実施形態の複合機１００は、前面に操作パネル１（破線で図示）が設けられる。又、上部に原稿搬送部２ａと画像読取部２ｂが設けられる。又、複合機１００の内部に、印刷を行う印刷部３（給紙部３ａ、搬送部３ｂ、画像形成部３ｃ、定着部３ｄ）が設けられる。
【００１６】
操作パネル１は、用いる機能（ジョブの種類）の選択画面、選択した機能に関する項目選択画面、選択した項目の設定画面、設定値設定用のソフトキーのような画面、画像や、各種メッセージを表示する表示パネル１１を備える。また、表示パネル１１に対して（上面に）タッチパネル部１２が設けられる。タッチパネル部１２は、表示パネル１１のうち使用者が操作した（タッチした、押した）部分の位置、座標を検出する。タッチパネル部１２の出力に基づき、操作されたソフトキー（ボタン）が認識される。また、操作パネル１には、スタートキーやテンキーのようなハードキー１３も設けられる。
【００１７】
原稿搬送部２ａは、セットされた原稿を１枚ずつ送り読取用コンタクトガラス（読み取り位置、不図示）に向けて連続的、自動的に搬送する。画像読取部２ｂは、上面にセットされた原稿や、原稿搬送部２ａが搬送する原稿を読み取り、画像データを生成する。
【００１８】
給紙部３ａは、複数の用紙を収容する。印刷ジョブを実行するとき、給紙部３ａは、用紙を１枚ずつ搬送部３ｂに送り込む。搬送部３ｂは、何れかの給紙部３ａから供給された用紙を搬送する。画像形成部３ｃは、画像データに基づきトナー像を形成し、搬送される用紙にトナー像を転写する。定着部３ｄは、用紙に転写されたトナー像を定着させる。トナー定着後の用紙は、排出トレイ３１に排出される。
【００１９】
図２に示すように、複合機１００内に、制御部４が設けられる。制御部４は、画像形成装置の動作制御を司る。制御部４は、ＣＰＵ４ａ、画像処理部４ｂのような回路を含む。ＣＰＵ４ａは、中央演算処理装置である。ＣＰＵ４ａは、記憶部５に記憶されるプログラム、データに基づき画像形成装置の各部の制御や、各種の演算処理を行う。画像処理部４ｂは、印刷や送信に用いる画像データの画像処理を行う。
【００２０】
記憶部５は、ＲＡＭ５１のような揮発性の記憶装置と、ＲＯＭ５２、ＨＤＤ５３のような不揮発性の記憶装置を含む。記憶部５は、複合機１００、制御用データ、設定データ、画像データのような各種データや、制御用の各種プログラムを記憶する。また、記憶部５は、コピー、プリント、スキャン送信、ボックス保存、ボックス印刷のようなジョブの実行に必要なデータを、少なくもジョブが完了するまで記憶する。
【００２１】
また、制御部４は、操作パネル１と通信可能に接続される。制御部４は、表示パネル１１の表示を制御する。また、制御部４は、タッチパネル部１２やハードキー１３の出力に基づき、操作パネル１での使用者の操作内容（操作されたソフトキーやタブやハードキー１３）を認識する。制御部４は、操作パネル１（表示入力装置）の制御部４としても機能する。つまり、複合機１００は、表示パネル１１、タッチパネル部１２、制御部４を備えた表示入力装置としての操作パネル１を含む。なお、操作パネル１に、制御部４の指示を受けて表示パネル１１の表示を制御し、使用者の操作内容を認識し、各種処理を行うパネル制御部を設けてもよい。
【００２２】
又、制御部４は、原稿搬送部２ａ、画像読取部２ｂ、印刷部３の各部とバスのような信号線で接続される。制御部４は、各部、各装置の存在を認識する。そして、制御部４は、スキャンや印刷のような複合機１００の動作を制御する。また、制御部４は、各種コネクタ、ソケット、通信制御用のチップを備えた通信部４１と接続される。通信部４１は、ネットワークや公衆回線やケーブルを介し、ＰＣやサーバーのようなコンピューター２００や、ＦＡＸ装置３００と通信可能に接続される。
【００２３】
（表示パネル１１に表示される画面の一例）
次に、図３、図４を用いて実施形態に係る表示パネル１１で表示される画面の一例を説明する。図３は、実施形態に係る表示パネル１１に表示されるメインメニュー画面Ｓ１の一例を示す図である。図４は、実施形態に係る表示パネル１１に表示されるジョブの実行状況画面Ｓ２の一例を示す図である。
【００２４】
表示パネル１１は、各種画面や設定用のキーを表示する。各画面の表示用データは、記憶部５や、操作パネル１内のメモリー（不図示）に記憶される。設定画面内のソフトキーやハードキー１３に対する操作に応じ、制御部４は、表示画面を表示パネル１１に切り替えさせる。
【００２５】
図３に示すメインメニュー画面Ｓ１は、階層上、最上位の画面である。制御部４は、主電源投入で起動したとき、省電力モードを解除したとき、ジョブが完了したとき、最初にメインメニュー画面Ｓ１を表示パネル１１に表示させる。メインメニュー画面Ｓ１には、アイコン（画像）が配される。また、各アイコンの下側に用いようとする機能（ジョブの種類）を選ぶための機能選択キーＫ１が表示される。何れかの機能選択キーＫ１をタッチして、コピー、スキャン送信、ボックス保存、ボックス印刷のようなジョブの種類を選択することができる。
【００２６】
コピージョブを行おうとするとき、使用者は、「Ｃｏｐｙ」の機能選択キーＫ１を操作する。原稿読み取りによって得られたデータに基づく画像データを送信するスキャン送信ジョブを行おうとするとき、使用者は、「Ｓｅｎｄ（Ｓｃａｎ）」の機能選択キーＫ１を操作する。原稿読み取りで得られたデータに基づく画像データを記憶部５（ＨＤＤ５３）に記憶させるボックス保存ジョブや、記憶部５に記憶される画像データに基づいて印刷を行うボックス印刷ジョブを行おうとするとき、使用者は、「Ｕｓｅｒ  Ｂｏｘ」の機能選択キーＫ１を操作する。制御部４は、選択されたジョブに関する画面を表示パネル１１に表示させる。使用者は、所望のジョブの結果が得られるように、項目を選択し、選択した項目で設定値を設定する。
【００２７】
実行状況画面Ｓ２は、現在のジョブの実行状況を示す画面である。図４は、コピージョブの実行状況画面Ｓ２の一例である。なお、プリントジョブ（コンピューター２００から受信したデータに基づく印刷）、スキャン送信ジョブ、ボックス保存ジョブ、ボックス印刷ジョブのような他の種類のジョブについても、それぞれ実行状況画面Ｓ２が用意される（図示は省略）。
【００２８】
図４の実行状況画面Ｓ２のうち、左側に、コピーでの原稿読み取りに関して操作パネル１で設定された設定値が表示される（用紙サイズや倍率など）。実行状況画面Ｓ２のうち、右側にコピーでの印刷に関して操作パネル１で設定された設定値が表示される（用紙サイズや印刷部数など）。また、図４の実行状況画面Ｓ２のうち、中央には、スキャン済の原稿枚数を示す欄が設けられる（印刷済枚数を示す欄でもよい）。
【００２９】
（開始領域Ｆ１と終了領域Ｆ２）
次に、本実施形態の操作パネル１で定められる開始領域Ｆ１と終了領域Ｆ２について説明する。図５は、開始領域Ｆ１と終了領域Ｆ２の組合せパターンの一例を示す。
【００３０】
操作パネル１（画像形成装置）では、電源を落とすためのソフトキーは、表示パネル１１に表示されない。代わりに、タッチパネル部１２へのジェスチャー操作によって電源をＯＦＦする（落とす）ことができる。具体的に、制御部４は、タッチパネル部１２の出力に基づき、予め定められた開始領域Ｆ１をタッチした後、タッチを続けたまま、予め定められた終了領域方向に向けて移動させる操作である引出操作を認識する。そして、制御部４は、引出操作が続けられて終了領域Ｆ２にタッチ位置が到達するまでタッチ位置をスライド移動させる操作を電源ＯＦＦの指示と認識する。
【００３１】
表示パネル１１の表示領域のうちどの領域を開始領域Ｆ１とし、どの領域を終了領域Ｆ２とするかは、適宜定めることができる。本実施形態の操作パネル１では、表示パネル１１の表示領域の４つの端辺のうち何れかの１辺に接し、この一辺の全体に沿った帯状（短冊状）の領域が開始領域Ｆ１とされる。また、表示パネル１１の表示領域の４つの端辺のうち、開始領域Ｆ１が設けられた辺に対向する辺に接し、対向する辺の全体に沿った帯状（短冊状）の領域が終了領域Ｆ２とされる。辺に対して垂直な方向での開始領域Ｆ１と終了領域Ｆ２の幅は、表示パネル１１の短辺の長さの数分の１〜十数分の１程度とされる。
【００３２】
開始領域Ｆ１と終了領域Ｆ２は重ならない。言い換えると、開始領域Ｆ１と終了領域Ｆ２の間には、開始領域Ｆ１ではなく終了領域Ｆ２でもない領域が設けられる。電源ＯＦＦを行うとき、タッチ位置は、開始領域Ｆ１→開始領域Ｆ１と終了領域Ｆ２のいずれでもない領域→終了領域Ｆ２というように移動する。
【００３３】
図５を用いて、開始領域Ｆ１と終了領域Ｆ２の組合せのパターンを説明する。図５に示す組合せのうち、組合せＡは、開始領域Ｆ１を表示領域の上端辺に沿って設け、終了領域Ｆ２を表示領域の下端辺に沿って設ける組合せである。組合せＢは、開始領域Ｆ１を表示領域の下端辺に沿って設け、終了領域Ｆ２を表示領域の上端辺に沿って設ける組合せである。組合せＣは、開始領域Ｆ１を表示領域の左端辺に沿って設け、終了領域Ｆ２を表示領域の右端辺に沿って設ける組合せである。組合せＤは、開始領域Ｆ１を表示領域の右端辺に沿って設け、終了領域Ｆ２を表示領域の左端辺に沿って設ける組合せである。図５の各組合せの図における白抜矢印は、電源をＯＦＦするときに、タッチ位置をスライドすべき方向を示す。なお、開始領域Ｆ１と終了領域Ｆ２は、必ずしも、表示領域の縁に接するようにする必要はなく、適宜定めることができる。
【００３４】
（処理未完了のジョブがないときの表示）
次に、図６〜図８を用いて、実施形態に係る操作パネル１で、処理未完了のジョブが無いときの表示の流れを説明する。図６〜図８は、実施形態に係る操作パネル１で、処理未完了のジョブが無いときの表示の流れの一例を示す図である。
【００３５】
制御部４は、開始領域Ｆ１のタッチを認識し、タッチしたままタッチ位置を終了領域Ｆ２の方向にスライド移動させる操作を引出操作として認識する。制御部４は、引出操作を認識すると、引出画面７を表示パネル１１に表示させる。引出画面７は、表示中の画面の上方に（最上層に）表示される画面である。図６〜図８では、表示中の画面（引出画面７の下層の画面）を、メインメニュー画面Ｓ１としている（図３参照）。
【００３６】
制御部４は、引出操作が続けられ、開始領域Ｆ１から終了領域方向でのタッチ位置の移動量が多くなるに従って、表示パネル１１に引出画面７の面積を増加させる。このとき、制御部４は、タッチ位置のスライド移動方向にあわせて開始領域Ｆ１（開始領域Ｆ１の外側の辺と接する表示領域の端辺）からスライドして引き出されるように、引出画面７を表示パネル１１に表示させる。言い換えると、制御部４は、タッチ位置のスライドにあわせて、引出画面７が幕のように引き出されるようなアニメーション表示を表示パネル１１に行わせる。
【００３７】
処理未完了のジョブ（実行中のジョブや複合機１００に入力されたまま実行を待っているジョブ）がない状態で、引出操作が続けられ、タッチ位置が終了領域Ｆ２に到達したとき、制御部４は、電源ＯＦＦの指示がなされたと認識する。そして、制御部４は、シャットダウン処理（詳細は後述）を開始する。なお、処理未完了のジョブが有る状態では、タッチ位置が終了領域Ｆ２に到達しても、制御部４は、電源ＯＦＦの指示がなされたとは認識せずシャットダウン処理も行わない（詳細は後述）。
【００３８】
具体的に、図６〜図８を用いて、複合機１００で処理未完了のジョブがないときの引出画面７の表示の流れを説明する。
【００３９】
以下の説明では、開始領域Ｆ１を表示領域の上端辺に沿って設け、終了領域Ｆ２を表示領域の下端辺に沿って設ける場合（組合せＡ）を説明する。そして、タッチ位置の上から下方向への移動量にあわせて、上から（表示パネル１１の上端辺から）下方向に引出画面７が引き出される例を説明する。上から下方向に引出画面７が引き出されるので、幕を下ろすような感覚で複合機１００の電源ＯＦＦのための操作が行われる。そのため、電源ＯＦＦのためのジェスチャー操作は、直感的でわかりやすい。なお、組合せＢ〜Ｄは、組合せＡと開始領域Ｆ１と終了領域Ｆ２の位置関係と、引出画面７が引き出される方向（図５で実線矢印で示す方向）が異なるだけであり、以下の説明は、組合せＢ〜Ｄにも同様に適用できる。
【００４０】
また、図６〜図８を用いて、メインメニュー画面Ｓ１上で引出操作がなされた場合を説明する。表示パネル１１に表示される各画面でも、引出操作によって引出画面７が表示され、電源ＯＦＦを行うことができる。メインメニュー画面Ｓ１や実行状況画面Ｓ２以外での引出操作については、同様であり図示、説明を省略する。
【００４１】
図６は、開始領域Ｆ１へのタッチを開始時点を示している（地点Ａ１をタッチしている状態）。図７は、地点Ａ１から終了領域Ｆ２に向けてタッチ位置を移動させている途中の状態を示している（地点Ａ２をタッチしている状態）。図８はタッチ位置が終了領域Ｆ２に到達した状態の一例を示している（地点Ａ３までタッチ位置を移動させた状態）。図７の状態での上下方向の移動量をＭ１で、図８の状態での移動量をＭ２示している。
【００４２】
開始領域Ｆ１から終了領域方向へのタッチ位置の移動量（スライド量）は、図６→図７→図８の順に大きくなっている。タッチ位置が上下方向に対して斜めに傾いても、制御部４は、斜め移動の成分のうち、上下方向の成分にのみ着目する。図６〜図８に示すように、制御部４は、開始領域Ｆ１から終了領域方向に向けてのタッチ位置の移動量が増えるに従って、開始領域Ｆ１から終了領域方向に向けて引き出されるように引出画面７を表示パネル１１に表示させる。
【００４３】
本実施形態では、制御部４は、タッチパネル部１２により検知されるタッチ位置（座標）と引出画面７の終了領域側の辺７ａの位置を一致させる。制御部４は、タッチ位置の移動に連動するように（指先にくっついたように）、引出画面７の終了領域側の辺７ａの位置を移動させる。なお、タッチ位置と引出画面７の終了領域側の辺７ａの位置にずれがあってもよい。この場合、タッチ位置と引出画面７の終了領域側の辺７ａの位置との差（ずれ）が予め定められた許容範囲内となるように、引出画面７のスライド（スクロール）がなされる。許容範囲（絶対値）は、数ミリ〜数センチ程度とすることができる。
【００４４】
引出操作が続けられ（開始領域Ｆ１へのタッチの後、指がタッチパネル部１２から離されることなく）タッチ位置が終了領域Ｆ２に到達した時点で、制御部４は、電源ＯＦＦの指示がなされたと認識する。
【００４５】
（シャットダウン処理）
次に、図９を用いて、実施形態に係る複合機１００でのシャットダウン処理の流れの一例を説明する。図９は、実施形態に係る複合機１００でのシャットダウン処理の流れの一例を示すフローチャートである。
【００４６】
図９のスタートは、処理未完了のジョブがない状態で、制御部４が、引出操作に基づいて電源ＯＦＦの指示がなされたと認識した時点である。
【００４７】
まず、制御部４は、ＣＰＵ４ａ内のキャッシュメモリーや、ＲＡＭ５１に記憶されているデータのうち、保存すべきとして予め定められている種類のデータ（特定データ）をＨＤＤ５３やＲＯＭ５２に記憶させる（ステップ♯１）。つまり、シャットダウン処理の一つとして特定データの保存処理がなされる。どのようなデータを特定データとするかは適宜定めることができる。例えば、複合機１００や複合機１００内の部材の寿命管理の観点から、電源ＯＮから現時点（電源ＯＦＦ時点）までの使用時間、印刷枚数、スキャン枚数のような項目値（累計に用いる値）を特定データとしてもよい。また、トナー残量のような電源ＯＦＦ時点の複合機１００の状態を示す情報を特定データとしてもよい。
【００４８】
続いて、制御部４は、記憶部５を保護するための処理であって、記憶装置へのアクセスを行わないようにするための遮断時処理を行う（ステップ♯２）。つまり、シャットダウン処理の一つとして遮断時処理がなされる。
【００４９】
ＨＤＤ５３の動作中（データの書き込み中や読み出し中）にＨＤＤ５３への電力供給を停止すると、データやＨＤＤ５３内の磁気ディスクが破損する場合がある。そこで、ＨＤＤ５３が搭載されるとき、制御部４は、データの書き込みや読み出し停止、及び、磁気ヘッドの退避を遮断時処理としてＨＤＤ５３に行わせる。
【００５０】
また、フラッシュメモリーの動作中（データの書き込み中や読み出し中）に、フラッシュメモリーへの電力供給を停止すると、データが破損する場合がある。そして、複合機１００には、各種プログラムやデータを記憶するＲＯＭ５２にフラッシュメモリーが用いられることがある。また、ＨＤＤ５３に変えてＳＳＤを搭載する場合もある。そこで、制御部４は、遮断時処理としてのデータの書き込みと読み出しの停止を、フラッシュメモリーを搭載する記憶装置に行わせる。
【００５１】
そして、制御部４は、全ての不揮発的な記憶装置で遮断時処理が完了したか否かの確認を続ける（ステップ♯３、ステップ♯３のＮｏ→ステップ♯３）。全遮断時処理が完了したとき、制御部４は、電源装置６に、電源ＯＦＦ時に電力供給を停止すると定められた部分への電力供給を停止させる（ステップ♯４）。これにより、シャットダウン処理が完了し、複合機１００の電源が落とされる（エンド）。
【００５２】
複合機１００には、電源装置６（図２参照）が設けられる。電源装置６は、商用電源からの電力を受ける。電源装置６は、整流回路や電圧変換回路を含み、複合機１００に含まれる部分の動作に必要な電圧を複数種生成する。そして、電源装置６は、表示入力装置（操作パネル１、制御部４）のような複合機１００の各部に電力を供給する（生成した電圧を印加する）。
【００５３】
制御部４から電源ＯＦＦの指示を受けたとき、電源装置６は、電源ＯＦＦ時に電力供給を停止すると予め定められた部分への電力供給を停止させる。ここで、本実施形態の複合機１００では、ジェスチャー操作によって（タッチパネル部１２への操作だけで）電源ＯＦＦを行うことができる。そこで、電源ＯＮ／ＯＦＦ専用のスイッチ（ハードキー）を設けないようにすることができる。そこで、電源装置６は、省略した電源ＯＮ／ＯＦＦ用のスイッチに変えて、複合機１００の電源ＯＮの指示を行うための部分への電圧印加を電源ＯＦＦ状態でも行うようにする。
【００５４】
電源ＯＮの指示を行うための部分は、適宜定めることができる。タッチパネル部１２に電圧を印加しておき、タッチパネル部１２へのタッチによる導通（信号変化、出力電圧変化）に基づき、使用者による電源ＯＮの指示入力がなされたと検知してもよい。あるいは、操作パネル１のうち、スタートキーやテンキー内の特定の数字キーのような特定のハードキーを電源ＯＮ用のスイッチに用いると予め定めてもよい。特定のハードキー１３への操作に起因する信号変化（出力電圧変化）に基づいて、使用者による電源ＯＮの指示入力がなされたと検知してもよい。
【００５５】
電源ＯＮの指示を行うための部分からの出力信号は電源装置６に入力される。電源ＯＮの指示を行うための部分の出力信号の変化があったとき、電源装置６は、電源ＯＦＦ時に電力供給を停止する部分への電力供給を開始する。また、電源ＯＮの指示を行うための部分からの出力信号を制御部４に入力するようにしてもよい。この場合、制御部４の電源ＯＮの指示を検知する部分にのみ電力供給を行っておく。電源ＯＮの指示を行うための部分の出力信号の変化があったとき、制御部４の一部は、電源ＯＮの指示を認識する。制御部４は、電源ＯＦＦ時に電力供給を停止する部分に対する電力供給を開始すべき旨を電源装置６に命令する。これにより、複合機１００、操作パネル１は電源ＯＮ状態となる。
【００５６】
（処理未完了のジョブがあるときの表示）
次に、図１０、図１１を用いて、実施形態に係る操作パネル１で、処理未完了のジョブがあるときの表示の流れを説明する。図１０は、実施形態に係る操作パネル１で、処理未完了のジョブがあるときの表示の流れの一例を示す図である。図１１は、実施形態に係る表示パネル１１に表示されるジョブの詳細リスト画面Ｓ３の一例を示す図である。
【００５７】
処理未完了のジョブがあるときでも、制御部４は、開始領域Ｆ１のタッチを認識し、タッチしたままタッチ位置を終了領域方向にスライド移動させる操作を引出操作として認識する。制御部４は、引出操作を認識すると、引出画面７を表示パネル１１に表示させる。また、制御部４は、引出操作が続けられることによって、開始領域Ｆ１から終了領域Ｆ２に向けてのタッチ位置の移動量（スライド量）が多くなるに従って、表示パネル１１に引出画面７の面積を増加させる。また、タッチ位置と引出画面７の終了領域側の辺７ａの位置との差は予め定められた許容範囲内とする（本実施の操作パネル１では一致させる）。これらの点も処理未完了のジョブがないときと同様である。
【００５８】
しかし、記憶部５が実行中のジョブと実行待ちのジョブのデータを記憶している状態（処理未完了のジョブがある状態）では、制御部４は、タッチ位置の終了領域側へのスライド移動に伴い、制限ラインＬ１と引出画面７の終了領域側の辺７ａとが重なるまでは、引出画面７が引き出されるような表示を表示パネル１１に行わせる。
【００５９】
制限ラインＬ１と引出画面７の終了領域側の辺７ａとが重なった後、タッチ位置が終了領域側に移動しても、制御部４は、引出画面７の終了領域側の辺７ａを終了領域Ｆ２に近づけない（引出画面７の面積を変えない）。そして、制御部４は、引出画面７の終了領域側の辺７ａと制限ラインＬ１の位置が重なったままの画面を表示パネル１１に表示させる。また、未完了のジョブがある状態では、制御部４は、タッチ位置が終了領域Ｆ２に到達しても電源ＯＦＦ指示がなされたとは認識しない。
【００６０】
表示パネル１１のうち、どの位置を制限ラインＬ１とするかは適宜定めることができる。表示パネル１１のうち、表示領域の短辺又は長辺の１／２程度、開始領域Ｆ１の辺から終了領域方向に隔てた位置を制限ラインＬ１とすることができる。
【００６１】
具体的に、図１０を用いて、処理未完了のジョブがある状態での引出画面７の表示を説明する。図１０は、ジョブの実行状況画面Ｓ２（図４参照）で引出操作がなされた場合を例示したものである。図１０の上段及び下段の各図では、開始領域Ｆ１内の最初のタッチ点として地点Ｂ１を図示している。
【００６２】
制御部４は、制限ラインＬ１と引出画面７の終了領域側の辺７ａとが重なるまでは、開始領域Ｆ１から終了領域方向に向けてタッチ位置の移動量（スライド量）が増えるに従って、引出画面７が開始領域Ｆ１から終了領域方向に向けて引き出されるように表示パネル１１に表示させる。
【００６３】
図１０の下段の図に示すように、制御部４は、制限ラインＬ１と引出画面７の終了領域側の辺７ａとが重なった後（タッチ位置が地点Ｂ２に到った後）、タッチ位置が更に終了領域方向に移動されても引出画面７の面積を増やさず、制限ラインＬ１と引出画面７の終了領域側の辺７ａを一致させた状態のままで維持する。未完了のジョブがある状態では、図１０の下段の図に示すように、タッチ位置が終了領域Ｆ２内の地点Ｂ３に到達しても、制御部４は、電源ＯＦＦ指示がなされたとは認識しない。
【００６４】
また、図１０の上段と下段のそれぞれの図に示すように、処理未完了のジョブがある状態で引出操作がなされたとき、制御部４は、「以下の処理が残っています」のようなメッセージと、処理未完了のジョブの情報を引出画面７内に表示させる。図１０では、処理未完了のジョブの種類（コピーとボックス印刷）が引出画面７に表示される例を示している。また、ジョブ名や、ジョブが複合機１００に入力された日時のような情報を表示してもよい。これにより、どのようなジョブか実行中、又は、実行待ちであるかを認識できる。
【００６５】
印刷ジョブ実行中に電源をＯＦＦすると、用紙が搬送経路に残る。送信ジョブ実行中に電源をＯＦＦすると、強制的な通信遮断によって今までの通信が無駄になる。また、実行中のジョブ及び実行待ちのジョブを入力した使用者は、ジョブの結果を得ることができなくなる。このように、処理未完了のジョブがあるのに、強制的に電源をＯＦＦすることは好ましく無い。
【００６６】
そこで、使用者が用意された選択肢の中から好みの選択を行えるように、処理未完了のジョブがある状態で引出操作がなされたとき、制御部４は、複数の選択肢キー８を表示パネル１１に表示させる。図１０の上段と下段の図に示すように、表示パネル１１は、各選択肢キー８を引出画面７外に表示する。具体的に、処理未完了のジョブがある状態では、引出画面７は制限ラインＬ１までしか引き出されないので、制御部４は、制限ラインＬ１よりも終了領域側の画面内に選択肢キー８を表示させる。
【００６７】
処理未完了のジョブがある状態で引出操作がなされたとき、どのような選択肢を用意するかは適宜定めることができる。本実施形態の操作パネル１では、選択肢キー８として、ジョブ中止キー８１と、終了予約キー８２と、リスト表示キー８３が表示される。
【００６８】
制御部４は、引出操作でのタッチ位置を何れかの選択肢キー８まで移動させる操作を、選択肢キー８を選ぶ操作と認識する。図１０の上段の図に示すように、使用者は、タッチを続けたまま、所望の選択肢キー８の位置までタッチ位置をスライド移動させる。制御部４は、操作された選択肢キー８に応じた処理を行う。
【００６９】
ジョブ中止キー８１は、処理未完了のジョブのうち、まだ開始されていないジョブの実行中止を指示するためのキーである。ジョブの入力者にジョブを中止してよいかを確認したならば、電源をＯＦＦしても問題はない。ジョブ中止キー８１が選択されたとき、制御部４は、処理未完了のジョブを実行しない。なお、処理未完了のジョブのデータを記憶部５に不揮発的に記憶させておいてもよい。そして、次に電源ＯＮがされたときに、制御部４は、記憶部５に記憶されたジョブを印刷部３や画像読取部２ｂや通信部４１に行わせるようにしてもよい。
【００７０】
また、ジョブ中止キー８１が操作されている時点で印刷ジョブを実行中であるとき、制御部４は、印刷ジョブを途中で中止させてもよい。制御部４は、印刷ジョブを途中で中止するとき、搬送経路に用紙が残らないように、次の用紙の給紙を給紙部３ａに行わせず、給紙済の用紙を全て排出トレイに排出させた後、印刷部３を完全に停止させる。なお、実行中の送信ジョブについては、制御部４は、最後まで通信部４１にその送信ジョブを行わせてもよいし、通信部４１に途中で終了させてもよい。
【００７１】
また、終了予約キー８２は、全ジョブ完了時に電源ＯＦＦのための処理が開始されるように電源ＯＦＦの予約を指示するためのキーである。終了予約キー８２が選択されたとき、制御部４は、未完了のジョブの全てが完了すると、シャットダウン処理を開始する（図９参照）。
【００７２】
また、リスト表示キー８３は、処理未完了のジョブの詳細リストの表示を指示するためのキーである。リスト表示キー８３が選択されたとき、制御部４は処理未完了のジョブを一覧形式で表示する詳細リスト画面Ｓ３を表示パネル１１に表示させる（図１１参照）。
【００７３】
制御部４は、現在実行中のジョブと、記憶部５に蓄積されている実行待ちのジョブに関する情報を含む詳細リスト画面Ｓ３を表示パネル１１に表示させる。ジョブに関する情報として、ジョブの種類、各ジョブの状態、ジョブの名前が表示される。その他、各ジョブの実行者、複合機１００にジョブが入力された日時のような情報も表示してもよい。
【００７４】
詳細リスト画面Ｓ３では、一覧のうち、中止させたいジョブの欄をタッチし、中止キーＫ２を操作することで、処理未完了のジョブのうち、特定のジョブの実行を中止させることができる。詳細リスト画面Ｓ３内の何れかの欄がタッチされたとき、制御部４はタッチされた欄に対応するジョブを選択されたジョブと認識する。さらに、ジョブが選択された状態で中止キーＫ２が操作されたとき、制御部４は、選択されたジョブを実行せず、選択されたジョブに対応されたデータを記憶部５に消去させる。これにより、できるだけ早く電源をＯＦＦしたい場合、特定のジョブの実行を中止することができる。
【００７５】
（引出画面７の巻き戻しと電源ＯＦＦの中止）
次に、図１２を用いて、実施形態に係る引出画面７の巻き戻しと電源ＯＦＦの中止を説明する。図１２は、実施形態に係る引出画面７の巻き戻しの一例を示す図である。
【００７６】
開始領域Ｆ１から終了領域Ｆ２までタッチ位置を移動させることにより、複合機１００、操作パネル１の電源をＯＦＦすることができる。しかし、途中で電源ＯＦＦすべきでないと思い直した場合や、誤って引出操作を行ってしまった場合のように、電源ＯＦＦを取りやめたい場合がある。
【００７７】
タッチパネル部１２は、電源ＯＦＦのための操作を中止する中止操作を受け付ける。制御部４は、タッチパネル部１２の出力に基づき、タッチパネル部１２になされた電源ＯＦＦのための操作を中止する中止操作を認識する。
【００７８】
操作パネル１では、引出操作の開始後、終了領域Ｆ２に到達する前にタッチパネル部１２から指を離す操作や、タッチ位置を開始領域Ｆ１に戻す操作が中止操作として受け付けられる。使用者は、開始領域Ｆ１へのタッチ後に電源ＯＦＦをやめるとき、タッチパネル部１２から指を離すか、あるいは、タッチ位置を開始領域Ｆ１まで戻せばよい。制御部４は、タッチパネル部１２の出力に基づき、中止操作がなされたことを認識する。なお、処理未完了のジョブがあるとき、及び、無いときのいずれの状態でも、制御部４は、中止操作を認識する。中止操作がなされたことを認識したとき、制御部４は、引出画面７の表示を表示パネル１１に止めさせる。これにより、もとの画面の全体が表示される（引出操作の開始前の状態に戻る）。
【００７９】
そして、電源ＯＦＦを中止するためにタッチ位置を開始領域Ｆ１方向に戻す操作がなされたとき、制御部４は、タッチ位置が開始領域Ｆ１に近づくにつれて、引出画面７を巻き戻すようにして引出画面７の面積を減らす。言い換えると、開始領域Ｆ１方向にタッチ位置を戻す操作にあわせて、引出画面７が格納されていくように、引出画面７はスライドされつつ戻される。
【００８０】
図１２のうち、上段の図は、開始領域Ｆ１のうち、地点Ｃ１をタッチした後、表示パネル１１の下端縁から表示パネル１１の縦方向の長さの１／４程度上の位置（地点Ｃ２）までタッチ位置を上から下にスライドさせた状態を示している。
【００８１】
一方、図１２のうち、下段の図は、地点Ｃ２から、表示パネル１１の上端縁から表示パネル１１の縦方向の長さの１／５程度下がった位置（地点Ｃ３）までタッチ位置を戻した（スライドさせた）状態を示している。図１１の下段の図に示すように、引出画面７は、タッチ位置の上方への移動にあわせ、面積が減らされる。スライドされるタッチ位置と一致するように（タッチ位置と引出画面７の終了領域側の辺７ａとのずれが許容範囲内となるように）、引出画面７の終了領域側の辺７ａがタッチ位置の上方への移動にあわせられる。
【００８２】
このようにして、実施形態に係る表示入力装置（操作パネル１）は、設定用の画面、キーを表示する表示パネル１１と、表示パネル１１に対して設けられたタッチパネル部１２と、タッチパネル部１２の出力に基づき使用者の操作内容を認識し、表示パネル１１の表示領域のうち、予め定められた開始領域Ｆ１をタッチし、開始領域Ｆ１とは離れた領域であって予め定められた終了領域Ｆ２に向けてタッチを続けたままタッチ位置をスライド移動させる引出操作を認識し、引出操作の継続によるタッチ位置の終了領域Ｆ２への到達を電源のＯＦＦを指示する電源ＯＦＦ指示と認識し、電源ＯＦＦ指示を認識すると電源ＯＦＦのための処理を行わせる制御部４と、を含む。
【００８３】
これにより、使用者は、タッチパネルへのジェスチャー操作（引出操作）だけで電源ＯＦＦを行うことができる。また、電源ＯＦＦ用のハードキー１３を設ける必要がなく、画像形成装置（複合機１００）の製造コスト、設計の面で有利である。また、電源ＯＦＦのときにハードキー１３の場所を探さなくて済む。また、電源ＯＦＦ用のソフトキーを表示パネル１１の画面内に常時表示させる必要もなく、表示パネル１１の表示領域全体を有効に用いることができる。
【００８４】
従来、電源ＯＦＦ用のスイッチ（ハードキー１３やソフトキー）を操作すると、直ちに電源ＯＦＦのための処理が開始されていた。誤って電源ＯＦＦ用のスイッチを操作した場合、表示入力装置（操作パネル１）、画像形成装置（複合機１００）の再起動が必要となり、不便であった。そこで、表示パネル１１の表示領域の端辺のうちのいずれか１辺に接するように開始領域Ｆ１を設ける。また、表示パネル１１の表示領域の端辺のうち、１辺に対向する辺に接するように終了領域Ｆ２を設ける。制御部４は、開始領域Ｆ１へのタッチの後、引出操作がなされると、表示中の画面上に重ねられる引出画面７を表示パネル１１に表示させ、引出画面７が開始領域Ｆ１側の端辺から終了領域方向に向けてスライドして引き出されるように表示させることによって、開始領域Ｆ１へのタッチ開始から終了領域方向へのタッチ位置の移動量が多くなるのに従い引出画面７の表示面積を表示パネル１１に次第に増加させる。
【００８５】
これにより、誤って引出操作を開始しただけでは電源ＯＦＦが開始されない。従って、誤った操作を行っても直ちに装置の電源ＯＦＦはなされず、使い勝手のよい表示入力装置（操作パネル１）を提供することができる。また、使用者は、引出操作の開始後、電源ＯＦＦが受け付けられるまで、あとどれほどタッチ位置を移動させればよいかを視覚的に認識することができる。従って、直感的、感覚的に電源ＯＦＦを指示するための入力を行うことができる。
【００８６】
ジョブ実行中に電源ＯＦＦをしてしまうと、ジョブが途中で終わってしまい、画像形成装置（複合機１００）内での用紙の詰まりが生ずる。また、実行待ち（待機中）のジョブがあるのに電源ＯＦＦがなされると、実行待ちのジョブは実行されないままとなる。ジョブの実行を望む使用者の意思を無視した電源ＯＦＦは行うべきではない。
【００８７】
そこで、処理未完了のジョブがある状態で引出操作がなされたとき、制御部４は、処理未完了のジョブを引出画面７内に表示させる。これにより、電源ＯＦＦを行うとしている現時点でのジョブの存在の有無を確認することができる。従って、使用者は、電源をＯＦＦすべきでない理由を容易に認識できる。
【００８８】
また、制御部４は、処理未完了のジョブがない状態で引出操作がなされた場合、タッチ位置と引出画面７の終了領域側の辺７ａの位置との差を予め定められた許容範囲内としつつ、終了領域方向へのタッチ位置の移動量が多くなるのに従って引出画面７の表示面積を表示パネル１１に次第に増加させる。そして、処理未完了のジョブがある状態で引出操作がなされた場合、制御部４は、引出画面７の終了領域側の辺７ａが予め定められた制限ラインＬ１に到るまでは、タッチ位置と引出画面７の終了領域側の辺７ａの位置との差を予め定められた許容範囲内としつつ、引出操作での終了領域方向へのタッチ位置の移動量が多くなるのに従って引出画面７の表示面積を表示パネル１１に次第に増加させ、制限ラインＬ１に到った後、さらに終了領域方向にタッチ位置が移動されても制限ラインＬ１までの引出画面７の表示を表示パネル１１に続けさせ、タッチ位置が終了領域Ｆ２に到達しても電源ＯＦＦ指示がなされたとは認識しない。
【００８９】
これにより、電源ＯＦＦを行うとしている時点で、処理未完了のジョブが存在しているとき、勝手な電源ＯＦＦを禁止することができる。また、処理未完了のジョブが無い場合に比べ、途中までしか引出画面７を引き出せないので、電源ＯＦＦできないことを使用者に感覚的に認識させることができる。
【００９０】
また、処理未完了のジョブがある状態で引出操作がなされたとき、制御部４は、処理未完了のジョブのうち、まだ開始されていないジョブ実行中止を指示するジョブ中止キー８１と、処理未完了の全ジョブが完了すると電源ＯＦＦのための処理が開始されるように電源ＯＦＦの予約を指示するための終了予約キー８２と、処理未完了のジョブの詳細リストの表示を指示するためのリスト表示キー８３のうち、少なくとも１つを選択肢キー８として表示パネル１１に表示させ、選ばれた選択肢キー８に応じた処理を行う。
【００９１】
これにより、処理未完了のジョブによって電源ＯＦＦできないことに対応するための方策を選択肢として表示し、使用者が所望の方策を選択できるようにすることができる。また、ジョブ中止キー８１によってジョブの実行を中止させ、直ちに電源ＯＦＦを行える状態とすることができる。また、終了予約キー８２によって、全てのジョブが完了してから電源をＯＦＦする予約を行うことができる。従って、全ジョブが完了する時間を見計らって、再度電源ＯＦＦのための操作を行う必要がなくなる。また、リスト表示キー８３によって、現在の処理未完了のジョブの詳細を確認することもできる。
【００９２】
また、表示パネル１１は、選択肢キー８を引出画面７外に表示する。制御部４は、引出操作でのタッチ位置を何れかの選択肢キー８まで移動させる操作を、選択肢キー８を選ぶ操作と認識する。これにより、引出操作に引き続く操作であって、極めて簡単な操作で処理未完了のジョブがあるため電源ＯＦＦできないときに表示される選択肢キー８を選ぶことができる。
【００９３】
また、制御部４は、引出操作後、引出画面７が開始領域Ｆ１側の端辺にスライドして収納されていくように表示させることによって、開始領域Ｆ１方向へのタッチ位置の戻し量が多くなるのに従い、引出画面７の表示面積を表示パネル１１に次第に減少させ、また、タッチ位置が開始領域Ｆ１まで戻されたとき、又は、終了位置に到る前にタッチが離されたとき、引出画面７の表示を表示パネル１１に止めさせる。
【００９４】
これにより、電源ＯＦＦのための操作を途中で止めることができる。また、引出画面７がスライドしつつ引出操作当初まで戻されるようにして通常の画面に戻るので、電源ＯＦＦのための操作が中止されたことを使用者に視覚的に認識させることができる。
【００９５】
また、画像形成装置（複合機１００）は、データを記憶する記憶部５（ＲＡＭ５１、ＲＯＭ５２、ＨＤＤ５３）と、表示入力装置（操作パネル１）及び記憶部５に電力を供給する電源装置６と、上記の表示入力装置を含む。そして、制御部４は、電源ＯＦＦ指示を認識したとき、記憶されたデータを保護するための処理であるシャットダウン処理を記憶部５に行わせ、電源装置６は、遮断時処理のようなシャットダウン処理が完了した後、電源ＯＦＦ時に電力供給を停止する部分への電力供給を停止する。
【００９６】
これにより、電源ＯＦＦ用のハードキー１３を設ける必要や、電源ＯＦＦのときにハードキー１３の場所を探さなくて済む画像形成装置（複合機１００）を提供することができる。また、安全、簡易に電源をＯＦＦできる画像形成装置を提供することができる。
【００９７】
本発明の実施形態を説明したが、本発明の範囲はこれに限定されるものではなく、発明の主旨を逸脱しない範囲で種々の変更を加えて実施することができる。
【産業上の利用可能性】
【００９８】
本発明は、表示入力装置、及び、表示入力装置を含む画像形成装置に使用可能である。
【図１】
2016125401.tif 000003
【図２】
2016125401.tif 000004
【図３】
2016125401.tif 000005
【図４】
2016125401.tif 000006
【図５】
2016125401.tif 000007
【図６】
2016125401.tif 000008
【図７】
2016125401.tif 000009
【図８】
2016125401.tif 000010
【図９】
2016125401.tif 000011
【図１０】
2016125401.tif 000012
【図１１】
2016125401.tif 000013
【図１２】
2016125401.tif 000014
【国際調査報告】
2016125401.tif 000015
2016125401.tif 000016
2016125401.tif 000017
2016125401.tif 000018